(57)【要約】  泡の漏出を防止するための本発明による洗濯機は、ハウジング、前記ハウジング内に設置され洗濯水を貯蔵し、少なくとも一つ以上の開口部と前記開口部に連結される少なくとも一つ以上の管とを含むタブ、前記タブ内に設置され、洗濯物を洗濯するように構成されるドラム、前記ドラム、及びタブ内に発生した泡が前記開口部、及び前記管を介して外部に漏出することを防止する遮断手段からなることを特徴とする。
2005514132.tif 000002
【特許請求の範囲】
【請求項１】
ハウジング；
前記ハウジング内に設置され洗濯水を貯蔵し、少なくとも一つ以上の開口部と前記開口部に連結される少なくとも一つ以上の管とを含むタブ；
前記タブ内に設置され、洗濯物を洗濯するように構成されるドラム；
前記ドラム、及びタブ内に発生した泡が前記開口部、及び前記管を介して外部に漏出することを防止する遮断手段
からなる洗濯機。
【請求項２】
前記開口部及び連結管は、外部の給水源から前記タブ内に洗濯水を供給するための給水口、及び該給水口に連結された給水管であることを特徴とする請求項１記載の洗濯機。
【請求項３】
前記開口部及び連結管は、外部空気を前記タブ内に流入させるための通風口、及び該通風口に連結された通風管であることを特徴とする請求項１記載の洗濯機。
【請求項４】
前記遮断手段は、前記開口部に設置され、前記ドラム及びタブ内に発生した泡が前記開口部を介して外部に漏出しないように前記連結管を選択的に閉鎖するバルブアセンブリである請求項１記載の洗濯機。
【請求項５】
前記バルブアセンブリは、
前記開口部内に設置され、前記泡によって浮上するように構成されるバルブと、
前記開口部内に形成され、前記バルブの移動を案内するガイドとからなることを特徴とする請求項１記載の洗濯機。
【請求項６】
前記バルブアセンブリは前記開口部に形成され、前記管と結合する延長管内に設置されることを特徴とする請求項５記載の洗濯機。
【請求項７】
前記バルブは前記開口部よりは小さく、前記管の直径よりは大きいことを特徴とする請求項５記載の洗濯機。
【請求項８】
前記管は、前記バルブによって安定的に閉鎖されるように前記開口部に隣接するよう部分的に縮小する管を有することを特徴とする請求項５記載の洗濯機。
【請求項９】
前記管は内周面から内側に延びるリブを有することを特徴とする請求項８記載の洗濯機。
【請求項１０】
前記管は多数の襞を有する波形管、すなわちベロウズ管であることを特徴とする請求項８記載の洗濯機。
【請求項１１】
前記バルブは所定の大きさの浮遊体であることを特徴とする請求項５記載の洗濯機。
【請求項１２】
前記浮遊体は円形断面を有することを特徴とする請求項１１記載の洗濯機。
【請求項１３】
前記ガイドは前記開口部の内周面に沿って所定の長さに延びているいくつかのリブであることを特徴とする請求項１１記載の洗濯機。
【請求項１４】
前記リブは前記バルブと所定の間隔を有するように延びていることを特徴とする請求項１３記載の洗濯機。
【請求項１５】
前記リブは、その先端からさらに延長され前記バルブを支持する延長部を有することを特徴とする請求項１３記載の洗濯機。
【請求項１６】
前記バルブは、
所定の大きさの浮遊体と
前記浮遊体を包む弾性部材とを含むことを特徴とする請求項５記載の洗濯機。
【請求項１７】
前記浮遊体はスチロフォーム材質からなり、前記弾性部材はゴム材質からなることを特徴とする請求項１６記載の洗濯機。
【請求項１８】
前記浮遊体は円形断面を有することを特徴とする請求項１６記載の洗濯機。
【請求項１９】
前記バルブの上部には傾斜面が形成されることを特徴とする請求項１８記載の洗濯機。
【請求項２０】
前記バルブは円錐形であることを特徴とする請求項１９記載の洗濯機。
【請求項２１】
前記ガイドは前記開口部の内周面に沿って所定の長さに延びているいくつかのリブであることを特徴とする請求項１６記載の洗濯機。
【請求項２２】
前記それぞれのリブは前記バルブと所定の間隔を有するように延びていることを特徴とする請求項２１記載の洗濯機。
【請求項２３】
前記それぞれのリブは、その先端からさらに延長され前記バルブの下部を支持する延長部を有することを特徴とする請求項２１記載の洗濯機。
【請求項２４】
前記バルブは、浮遊体の下部から延長され前記リブの延長部の間に挿入される尾部をさらに含むことを特徴とする請求項２３記載の洗濯機。
【請求項２５】
前記バルブとリブの間の間隔が前記バルブの尾部と前記リブの段差部との間の間隔よりさらに大きいことを特徴とする請求項２４記載の洗濯機。
【請求項２６】
前記バルブは、
凸面からなる浮遊体；
前記ガイドによって案内されるように前記浮遊体の下面から延びでている軸部を含むことを特徴とする請求項５記載の洗濯機。
【請求項２７】
前記浮遊体は半球状セルであることを特徴とする請求項２６記載の洗濯機。
【請求項２８】
前記浮遊体は縁部から水平に延長されるフランジをさらに含むことを特徴とする請求項２６記載の洗濯機。
【請求項２９】
前記軸部は中空軸であることを特徴とする請求項２６記載の洗濯機。
【請求項３０】
前記軸部の外周面は弾性材質の層で覆われることを特徴とする請求項２６記載の洗濯機。
【請求項３１】
前記ガイドは、
前記軸部を移動可能に収容し、前記浮遊体の下部を支持するハブと、
前記ハブの外周面と前記開口部の内周面との間で延びているいくつかのリブとを含むことを特徴とする請求項２６記載の洗濯機。
【請求項３２】
前記リブは、前記開口部の内周面の近くでは一定で、前記一定の部分からハブの外周面に近づくにつれて増加する長さを有することを特徴とする請求項３０記載の洗濯機。
【請求項３３】
前記バルブは、前記軸部の外周面上に設けられ、ハブと浮遊体の間に位置する弾性部材をさらに含むことを特徴とする請求項２６記載の洗濯機。
【請求項３４】
前記弾性部材の下端に緩衝突起が形成されることを特徴とする請求項３３記載の洗濯機。
【請求項３５】
前記バルブアセンブリは、前記バルブの下側に設けられ前記開口部を部分的に閉鎖する板形部材をさらに含むことを特徴とする請求項５記載の洗濯機。
【請求項３６】
前記板形部材は円板形であることを特徴とする請求項３５記載の洗濯機。
【請求項３７】
前記板形部材の大きさは前記バルブの下端部の断面と同じかそれよりも大きいことを特徴とする請求項３６記載の洗濯機。
【請求項３８】
前記板形部材は、
底面から垂直に延びる少なくとも一つ以上の脚部と、
前記脚部の先端に形成され、前記ガイドの一部に固定されるフックとをさらに含むことを特徴とする請求項３５記載の洗濯機。
【請求項３９】
前記遮断手段は、前記管を前記ハウジングに固定させ、前記泡が外部に漏出しないよう前記管を部分的に閉鎖するジョイントアセンブリをさらに含むことを特徴とする請求項１記載の洗濯機。
【請求項４０】
前記ジョイントアセンブリは、
前記ハウジングに形成される貫通孔と、
前記貫通孔に挿入され前記管に結合され、垂直に延びる内部の隔壁を含む延長管を含むことを特徴とする請求項３９記載の洗濯機。
【請求項４１】
前記貫通孔はその周縁に垂直に形成されるリブを含み、前記延長管は前記ハウジングに接するように形成されるフランジを含むことを特徴とする請求項４０記載の洗濯機。
【請求項４２】
前記貫通孔はリブに形成される少なくとも一つ以上の切欠部をさらに含み、前記延長管は、その外周面に所定の間隔で形成され前記リブと結合するように前記切欠部に挿入される少なくとも一つ以上のフックをさらに含むことを特徴とする請求項４１記載の洗濯機。
【請求項４３】
前記延長管はフランジ上に形成される多数の突起をさらに含み、前記貫通孔の周辺部には前記多数の突起が挿入される多数の補助貫通孔がさらに形成されることを特徴とする請求項４２記載の洗濯機。
【請求項４４】
前記突起は円柱状突起と半球状突起を含むことを特徴とする請求項４３記載の洗濯機。
【請求項４５】
前記突起が前記フランジに弾性的に連結されるように、前記突起の周辺に所定の長さの切開溝が形成されることを特徴とする請求項４３記載の洗濯機。
【発明の詳細な説明】
【技術分野】
【０００１】
本発明は洗濯機に関し、特に洗濯機内で発生した泡が外部に漏出することを防止する構造を備えた洗濯機に関する。
【背景技術】
【０００２】
一般に洗濯機はその内部にドラムが設置され、ドラムを回転させてその内部に入れられた洗濯物を洗濯する。また、このような洗濯機内にはドラムを収容するタブが洗濯水を予備的に貯蔵しドラムに供給するために設置されている。タブは給水管に連結され、給水管はタブに洗濯水と共に洗剤を供給できるよう洗剤槽にも連結される。
【０００３】
しかしながら、洗濯途中に洗剤により発生した泡が給水管に沿って洗剤槽に流入し、洗剤槽を汚す。さらに、泡は洗剤槽を介して洗濯機の外部に漏出し、洗濯機、及び洗濯機の周辺を汚すこともある。
【０００４】
特に、ドラム及びタブが立てられたトップローディング方式の洗濯機に比べ、ドラム及びタブが横になっているフロントローディング方式の洗濯機でさらに泡の発生が激しく、外部に漏出する可能性も高い。したがって、かかるフロントローディング方式の洗濯機には特に泡の発生量を減らす洗剤が使用されるが、このような洗剤の使用も泡の漏出可能性を排除できるわけではない。
【発明の開示】
【発明が解決しようとする課題】
【０００５】
そこで、本発明の目的は、ドラムやタブ内に発生した泡の漏出を防止する洗濯機を提供することである。ここで、泡遮断手段として開口部及び管を閉鎖するバルブアセンブリが開口部に設置され、管を選択的に閉鎖する。
【課題を解決するための手段】
【０００６】
上記目的を達成するために本発明は、ハウジング；ハウジング内に設置され洗濯水を貯蔵し、少なくとも一つ以上の開口部と、開口部に連結される少なくとも一つ以上の管とを含むタブ；タブ内に設置され、洗濯物を洗濯するように構成されるドラム；ドラムとタブ内に発生した泡が開口部や管を介して外部に漏出することを防止する遮断手段を備えた洗濯機である。
【０００７】
開口部及び連結管は、外部の給水源からタブ内に洗濯水を供給するための給水口、その給水口に連結された給水管、外部空気をタブ内に流入させるための通風口、さらには通風口に連結された通風管である。
【０００８】
まず、本発明において、遮断手段は、開口部に設置され、ドラム及びタブ内に発生した泡が開口部を介して外部に漏出しないように連結管を選択的に閉鎖するバルブアセンブリである。
【０００９】
バルブアセンブリは、開口部内に設置され、泡によって浮上するように構成されるバルブと、開口部内に形成されバルブの移動を案内するガイドとを備えている。
【００１０】
バルブアセンブリは好ましくは開口部に形成され、管と結合する延長管内に設置される。また、バルブは開口部よりは小さく、管の直径よりは大きく形成される。
【００１１】
管は、バルブによって安定的に閉鎖されるように開口部に隣接するよう部分的に縮小する管を有することが好ましい。
【００１２】
さらに好ましくは、管は内周面から内側に延びるリブを有し、多数の襞を有する波形管、またはベロウズ管からなる。
【００１３】
バルブアセンブリの第１態様において、バルブは所定の大きさの浮遊体であり、好ましくは円形断面を有する。
【００１４】
また、ガイドは開口部の内周面に沿って所定の長さに延びているいくつかのリブである。リブはバルブと所定の間隔を有するように延長され、その先端から突き出てバルブを支持する延長部を有する。
【００１５】
バルブアセンブリの第２態様において、バルブは、所定の大きさの浮遊体とその浮遊体を包む弾性部材を含む。浮遊体はスチロフォーム材質からなり、弾性部材はゴム材質からなる。また、浮遊体は円形断面を有する。
【００１６】
このようなバルブの上部には傾斜面が形成されることが好ましく、さらに好ましくはバルブは円錐形である。
【００１７】
また、ガイドは開口部の内周面に沿って所定の長さに延びているいくつかのリブである。それぞれのリブはバルブと所定の間隔を有するように延長され、その先端から突き出てバルブの下部を支持する延長部を有する。
【００１８】
バルブは、浮遊体の下部から延びだしてリブの延長部の間に挿入される尾部をさらに含むことが好ましく、バルブとリブの間の間隔はバルブの尾部と、リブの段差部との間の間隔より大きいことがさらに好ましい。
【００１９】
バルブアセンブリの第３態様におけるバルブは、凸面からなる浮遊体と、ガイドによって案内されるように浮遊体の下面から延びている軸部とを含む。浮遊体は半球状セルであり、縁部から水平に延長されるフランジをさらに含むことが好ましい。また、軸部は中空軸であることが好ましく、さらに、軸部の外周面は弾性材質の層で覆われることが望ましい。
【００２０】
また、ガイドは、軸部を移動可能に収容し、浮遊体の下部を支持するハブと、そのハブの外周面と開口部の内周面との間で延びているいくつかのリブとを含む。リブは、開口部の内周面の近くでは一定で、一定の部分からハブの外周面に近づくにつれて増加する長さを有する。
【００２１】
好ましくは、バルブは、軸部の外周面上に設けられ、ハブと浮遊体の間に位置する弾性部材をさらに含む。弾性部材の下端に緩衝突起が形成されることがさらに好ましい。
【００２２】
一方、バルブアセンブリは、空気流動によってバルブが上昇しないようにバルブの下側に設けられ、開口部を部分的に閉鎖する板形部材をさらに含むことが好ましい。ここで、板形部材は円板形であり、板形部材の大きさはバルブの下端部の断面と同じかそれよりも大きい。より詳細には、板形部材は、その底面から垂直に延びる少なくとも一つ以上の脚部と、その脚部先端に形成され、ガイドの一部に固定されるフックをさらに含む。
【００２３】
また、遮断手段は、管をハウジングに固定させ、泡が外部に漏出しないよう管を部分的に閉鎖するジョイントアセンブリをさらに含む。
【００２４】
ジョイントアセンブリは、ハウジングに形成される貫通孔と、その貫通孔に挿入され管に結合され、垂直に延びる内部の隔壁を含む延長管とを含む。
【００２５】
貫通孔はその周縁に垂直に形成されるリブを含み、延長管はハウジングに当接するように形成されるフランジを含む。
【００２６】
また、貫通孔はリブに形成される少なくとも一つ以上の切欠部をさらに含み、延長管は、その外周面に所定の間隔で形成されリブと結合するように切欠部に挿入される少なくとも一つ以上のフックをさらに含む。
【００２７】
延長管はフランジ上に形成される多数の突起をさらに含み、貫通孔の周辺部には多数の突起が挿入される多数の補助貫通孔がさらに形成される。その突起は円柱状突起、及び半球状突起を含むことが好ましく、より好ましくは突起がフランジに弾性的に連結されるように、突起の周辺に所定の長さの切開溝が形成される。
【発明を実施するための最良の形態】
【００２８】
以下、本発明の好ましい実施形態を添付の図面に基づいて詳細に説明する。
図１は本発明による洗濯機を示す断面図で、これを参考にして本発明による洗濯機を説明する。図示の洗濯機はフロントローディング方式のものであり、タブ２０及びドラム３０が横になっている点を除いてはトップローディング方式と殆ど同一である。したがって、以下でのフロントローディン方式の洗濯機についての説明はトップローディング方式のものにも同様に適用することができる。
【００２９】
図示したように、本発明による洗濯機は全体的にハウジング１０と、ハウジング１０の内部に設置されるタブ２０と、ドラム３０とを備えている。
【００３０】
ハウジング１０は各種の部品をその内部に設けることができ、このような部品を保護するように設計されている。ハウジング１０の前面にはドラム１０につらなる入口を開閉するように構成されたドア１１が設置され、ハウジング１０の上部にはコントロールパネル１２が設けられている。ユーザはコントロールパネル１２を用いて洗濯機の作動を制御し、ドア１１を介してドラム３０の内部に洗濯物を出し入れする。
【００３１】
タブ２０は洗濯時に内槽に一定に洗濯水を供給するために予備的に洗濯水を貯蔵する。タブ２０はハウジング１０の内部に緩衝具１３ａ，１３ｂを用いて弾性的に固定される。タブ２０の底面の中央には貫通孔２０ａが形成され、ドラム３０に連結される駆動軸がこの貫通孔２３を介して取り付けられている。また、タブ２０はいくつかの開口部２１，２２，２３と、開口部に連結される管２１ｂ、２２ｂ、２３ｂとを含む。
【００３２】
このような開口部２１，２２，２３は延長管２１ａ，２２ａ，２３ａを有し、それぞれの管２１ｂ、２２ｂ、２３ｂは延長管により堅固に連結されている。
【００３３】
開口部２１，２２，２３、及び管２１ｂ，２２，２３ｂを用いてタブ３０は作動に必要な多様な外部装置に連結されている。
【００３４】
より詳細には、タブ２０は洗濯水を流入させるための給水口２１と、給水口２１に連結される給水管２１ｂとを有する。給水管２１ｂは給水口２１と、洗剤槽２１ｃとの間に連結され、洗剤槽２１ｃからハウジング１０を介して外部の給水源まで延長される。給水源から洗濯水は給水管２１ｂ、洗剤槽２１ｃ、及び給水口２１を経て洗剤と共にタブ２０内に供給される。
また、タブ２０には排水口２３が形成され、排水口２３には排水管２３ｂが連結される。排水管２３ｂは外部の排水装置まで延長され、使用された洗濯水は排水口２３、及び排水管２３ｂを介して排出される。
【００３５】
一方、大容量洗濯機のドラム３０は幼児がその内部に入れる位の大きさを有し、そのような事故が起こった場合、ドア１１が閉鎖されても幼児が呼吸できるようタブ２０には通風口２２が形成されている。そして、通風管２２ｂが通風口２２に連結されるように設置され、洗濯機の外部に連通する。したがって、通風管２２ｂ及び通風口２２はタブ２０内に外部の空気を供給し、乳児が窒息することを防止する。
【００３６】
ドラム３０はタブ２０の内部に洗濯物を収容するとともに、回転可能に設けられている。また、ドラム３０はタブ２０から洗濯水が流入するように多数の貫通孔３０ａを含む。また、洗濯物がよく混ざるようにいくつかのバッフル３０ｂがドラム３０の内周面に取り付けられる。
【００３７】
一方、駆動部４０はタブ２０に連接するように位置し、ドラム３０に回転のための動力を提供する。駆動部４０は一般的にモータ、及びクラッチなどを含み、既述したように、ドラム３０と駆動軸によって駆動可能に連結される。
【００３８】
かかる洗濯機の作動中にドラム３０の回転によって洗濯水と洗剤とが混合され、泡が発生し、その泡が開口部２１，２２，２３、及び管２１ｂ、２２ｂ、２３ｂに沿って洗濯機の外に漏出することがある。たとえば、泡は給水口２１、及び給水管２１ｂを経由して洗剤槽２１ｃを介して洗濯機の外部に漏れる。また、通風口２２と通風管２２ｂは、図示したように洗濯機の外部に直接的に連通しているので、泡はハウジング１０を介して漏出しやすい。このような理由で本発明の洗濯機は泡が洗濯機の外部に漏出することを防止する遮断手段を含んでいる。
【００３９】
これに対して、排水口２３及び排水管２３ｂは外部に連通されず、周期的に洗濯水を排出する。このような排水口２３及び排水管２３ｂを介して泡が漏出する可能性は少ないので、本発明の遮断手段は給水口２１と通風口２２に有効である。したがって、下記で遮断装置は、給水口２１及び通風口２２に適用された実施形態について主に説明するが、かかる実施形態は排水管２３にも同様に適用することができる。
【００４０】
まず、泡は開口部から漏出し始めるので、開口部で泡遮断が行われることが効果的である。したがって、バルブアセンブリが遮断手段として開口部に設置され、泡遮断のために開口部に連結される管を閉鎖するように構成される。このようなバルブアセンブリは多様な実施形態と共に以下で詳細に説明する。
【００４１】
図２Ａ〜図２Ｃは本発明のバルブアセンブリの第１実施形態を示す断面図で、図３は第１実施形態によるバルブアセンブリの開口部を示す平面図である。そして、図４は図２Ａ〜図２Ｃに示す第１実施形態の変形例を示す断面図である。
【００４２】
図２Ａに示すように、第１実施形態によるバルブアセンブリ１００は、給水口２１や通風口２２（以下、開口部）に設置されるバルブ１１０と、開口部２１，２２内に設置されるガイド１２０とからなる。バルブアセンブリ１００は、開口部２１，２２の内周面に直接設置されているが、安定的な作動のため好ましくは開口部２１，２２に形成される延長管２１ａ，２２ａ内に設けられる。
【００４３】
このようなバルブアセンブリ１００で、バルブ１１０は開口部２１，２２内で上下に移動可能に構成され、ガイド１２０はこのようなバルブ１１０の移動を案内するように構成されている。バルブ１１０は開口部２１，２２を介した洗濯水及び空気の流動を可能にしながら円滑に移動できるように開口部、正確には延長管２１ａ，２２ａより小さくされるべきである。
【００４４】
また、バルブ１１０は給水管２１ｂと通風管２２ｂ（以下、管）を閉鎖できるように管の直径よりは大きく形成される。換言すれば、管２１ｂ，２２ｂの直径はバルブ１１０によって閉鎖されるように、バルブ１１０の大きさより小さく設計されている。
【００４５】
さらに、管２１ｂ、２２ｂがバルブ１１０によってより安定的に閉鎖されるように、これらの直径は開口部２１，２２の近所で部分的に縮小されることが好ましい。
【００４６】
このために、管２１ｂ、２２ｂは開口部２１，２２に隣接して位置するリブ２４を有する。リブ２４は、図示したように管２１ｂ、２２ｂの内周面から半径方向の内側に延びている。また、管２１ｂ、２２ｂは図２ｃに示すように波形管、又はベロウズ管でもよい。このような管は多数の襞２４ａを有し、これらの襞２４ａがリブ２４と同様に直径を縮小させる結果をもたらす。したがって、バルブ１１０は移動中にこのようなリブ２４、または襞２４ａと接触して管２１ｂ，２２ｂをより確実に閉鎖できる。
【００４７】
第１実施形態をより詳細に説明すると、バルブ１１０は図示したように所定の大きさを有する浮遊体からなる。このようなバルブ１１０は軽い材質、例えばスチロフォームで作られ、そのため、泡によって上昇できる。既述したように、バルブ１１０は少なくとも管２１ｂ、２２ｂより大きく形成され、開口部２１，２２、延長管２１ａ，２２ａ、および管２１ｂ，２２ｂの形状に対応して円形断面を有することが好ましい。
【００４８】
また、ガイド１２０は、図３に示すように、開口部２１，２２の内周面から所定の長さ延びているいくつかのリブからなる。リブ１２０は、既述したように延長管２１ａ，２２ａの内周面に安定的に形成されている。このようなリブ１２０はバルブ１１０と所定の間隔を有するように延びており、これによってバルブ１１０を移動可能に案内できる。また、リブ１２０はその下端が半径方向の内側にさらに延びだす延長部１２１を含む。このような延長部１２１はリブ１２０から突出していて段差部を形成する。したがって、延長部１２１はバルブ１１０を開口部２１，２２、及び延長管２１ａ，２２ａ内に位置させるように支持する。
【００４９】
このバルブ１２０は、泡以外にも開口部２１，２２を介した空気流動によっても上昇することができる。例えば、洗濯機のドア１１が急に閉まると、このようなドア１１の運動によってタブ２０とドラム３０の空気が開口部２１，２２を介して急激に流動する。これにより、バルブ１１０は管２１ｂ、２２ｂを閉鎖する。管２１ｂ、２２ｂの閉鎖によってタブ２０及びドラム３０が密閉され、瞬間的にその内部に圧力が発生し、この圧力に押されてドア１１は閉まらないことがある。したがって、図４に示すように、空気流動に影響を受けないようにバルブ１１０の下には板形部材１３０が設置されることが好ましい。
【００５０】
図４及び図６Ａを参照すると、板形部材１３０は空気流動が直接的にバルブ１１０に至らないよう開口部２１，２２、及び延長管２１ａ，２２ａを閉鎖する。しかし、板形部材１３０は、図示したように開口部２１，２２、及び延長管２１ａ，２２ａを部分的に閉鎖するため、給水口２１での洗濯水の供給、及び通風口２２での空気の流動は円滑に行われる。
【００５１】
板形部材１３０は、図５に示すようにバルブ１１０の形状と大略一致するよう円板状からなることが好ましい。また、急激な空気流動を遮断し、バルブ１１０から迂回させるために、このような円板部材１３０の大きさは互いに向き合うバルブ１１０の下部の大きさと同じか、それよりも大きいことが好ましい。
【００５２】
また、板形部材１３０は、リブの延長部１２１上に載り、これによってバルブ１１０は板形部材１３０により支持される。板形部材１３０は、図５に示すように、その底面から延長される脚部１３１と、脚部１３１の先端に形成されるフック１３２とをさらに含む。脚部１３１は、図６Ａに示すようにリブ１２０と並列に延び、リブ１２０によって板形部材１３０が揺れないように支持される。また、フック１３２は、図６Ｂに示すようにリブ１２０の下部の先端にラッチされ、板形部材１３０をリブ１２０に固定させる。
【００５３】
図７Ａ、図７Ｂ、及び図８には本発明の第２実施形態によるバルブアセンブリが示され、これらの図面を参照して第２実施形態を詳細に説明する。
【００５４】
第２実施形態によるバルブアセンブリ２００は、第１実施形態１００と同様に開口部２１，２２内に設置されるバルブ２１０、及びガイド２２０からなり、好ましくはバルブ２１０及びガイド２２０は延長管２１ａ，２２ａ内に設けられている。このようなバルブ２１０とガイド２２０の基本的な特徴は、既述した第１実施形態１００のバルブ及びガイド１１０，２１０と同一である。
【００５５】
即ち、バルブ２１０はガイド２２０に案内され上下に移動可能である。バルブ２１０の大きさ、及び管２１ｂ、２２ｂの直径は、バルブ２１０によって管２１ｂ、２２ｂが閉鎖されるように適切に設計される。
【００５６】
一方、管２１ｂ、２２ｂはバルブ２１０がうまくラッチされるようにリブ２４を有し、或いは図２Ｃに示すように多数の襞２４ａを有する。
【００５７】
このような第２実施形態において、バルブ２１０は所定の大きさの浮遊体２１１と、浮遊体２１１を包む弾性部材２１２とを含む。浮遊体２１１は第１実施形態と同様に、軽い材質のスチロフォームで作られ、一般に円形の開口部２１，２２、延長管２１ａ，２２ａ、及び管２１ｂ、２２ｂに適合するよう円形の断面を有する。このような浮遊体２１１は軽くて軟弱な材質（例えば、スチロフォーム）で作られるため、泡による上昇、または下降中に周囲の管２１ｂ，２２ｂ、及びガイド２２０に接触しながら次第に破損する可能性がある。したがって、弾性部材２１２は一次的に浮遊体２１１を保護し、好ましくはゴム材質で作られる。このような弾性部材２１２は衝撃を吸収できるので、バルブ２１０の運動によって発生する騒音も減少させる。
【００５８】
バルブ２１０の上部には少なくとも一つの傾斜面が形成されることが好ましい。即ち、浮遊体２１１の上部に傾斜面が形成され、このような浮遊体２１１を包むように弾性部材２１２にも同一の箇所に傾斜面が形成される。これはバルブ２１０がやや傾いて上昇しても、傾斜面が管２１ａ、２２ｂによって案内されながらバルブ２１０が正確に管２１ａ，２１ｂを閉鎖できるからである。
【００５９】
より好ましくは、バルブ２１０の周縁に連続的に傾斜面が形成されることで、バルブ２１０がどの方向に傾いても案内され、管２１ｂ、２２ｂを正確に閉鎖することができる。図示したように、このような連続的な傾斜面は実質的にバルブ２１０を円錐状にする。
【００６０】
ガイド２２０は、図８に示すように第１実施形態のガイド１２０と実質的に類似している。即ち、ガイド２１０は、バルブ２１０と所定の間隔を有するように開口部２１，２２、または延長管２１ａ，２１ｂの内周面に沿って延びているいくつかのリブからなる。また、リブ２２０の先端には半径方向に延びだす延長部２２１が形成され、バルブ２１０は延長部２２１によって支持される。
【００６１】
また、図９及び図１０に示すように、空気流動によってバルブ２１０が上昇しないように、バルブ２１０の下には板形部材２３０を設けてもよい。板形部材２３０は、第１実施形態と同様に底面から延長される脚部２３１と、脚部２３１の先端に形成され、リブ２２０の下部先端に固定されるフック２３２とを有する。このような板形部材２３０は第１実施形態の板形部材１３０と同一であるので、その詳細な説明は省略する。
【００６２】
浮遊体２１１は、図７Ａ、図７Ｂ、及び図９に示すように、その下部から垂直に延びる尾部２１１ａをさらに含んでいる。尾部２１１ａは、延長部２２１の間に挿入されることで延長部２２１によって支持及び案内される。上述した板形部材２３０が存在する場合、尾部２１１ａのための貫通孔２３０ａが図１０に示すように板形部材２３０に形成され、尾部２１１ａは貫通孔２３０ａによっても案内及び支持される。
【００６３】
したがって、尾部２１１ａによってバルブ２１０全体がより安定的に上昇または下降する。一方、バルブ２１０とリブ２２０の間の間隔ｔ２は、尾部２１１ａと延長部２２１の間の間隔ｔ１より大きいことが好ましい。
【００６４】
このような間隔調節（設計）によって、バルブ２１０はリブ２２０と接触せずに移動することができ、尾部２１１ａは延長部２２１によってうまく支持及び案内される。
【００６５】
以下、本発明によるバルブアセンブリの第３実施形態をより詳細に説明する。
【００６６】
図１１Ａ及び図１１Ｂは本発明のバルブアセンブリの第３実施形態を示す断面図で、図１２は第３実施形態によるバルブアセンブリの開口部を示す平面図である。
【００６７】
第３実施形態によるバルブアセンブリ３００も第１及び第２実施形態１００と同様に開口部２１，２２、または延長管２１ａ，２１ｂ内に設置されるバルブ３１０及びガイド３２０からなる。このようなバルブ３１０、ガイド３２０、及び延長管２１ａ，２１ｂと関連した一般的な特徴は上記の第１及び第２実施形態で既説明されているので下記では省略する。
【００６８】
第３実施形態において、バルブ３１０は浮遊体３１１と、浮遊体３１１の底面から延長される軸部３１２とを含む。浮遊体３１１は、図示したように全体的に凸面を有するように形成される。このような凸面は上昇中に管２１ｂ、２２ｂの内周面によって案内され、浮遊体３１１が正確で容易に管２１ｂ，２２ｂを閉鎖することができる。
【００６９】
浮遊体３１１は自重を減らすため全体的に膨らんだ曲面を有する半球形セルであることが好ましい。浮遊体３１１は第１及び第２実施形態と同様に軽い材質のスチロフォームで作ることができるが、このような半球形セルの浮遊体３１１は軽い構造であるのでプラスチックでも製造することができる。その場合、浮遊体３１１の強度があがり、耐久性も増加する。また、半球形セルの浮遊体３１１の内部には空間が形成されるので、泡によってより大きな浮力を受け、容易に上昇する。
【００７０】
浮遊体３１１は、管２１ａ，２１ｂと安定的に接触できるよう縁部から水平に延長されるフランジ３１１ａをさらに含むことが好ましい。
【００７１】
軸部３１２はガイド３２０によって案内され、これによってバルブ３１０が安定的に運動できる。このような軸部３１２もバルブ３１０の重量を減少させるために中空軸で形成されることが好ましい。
【００７２】
ガイド３２０は、図１２に示すように開口部２１，２２及び延長管２１ａ，２２ａの内部に配置されるハブ３２１と、そのハブ３２１と開口部２１，２２／延長管２１ａ，２２ａとを連結するリブ３２２とを含む。ハブ３２１は軸部３１２を移動可能に収容し、浮遊体３１１が延長管２１ａ，２２ａ内に位置するように支持する。リブ３２２はハブ３２１の外周面から開口部２１，２２及び延長管２１ａ，２２ａの内周面まで延びている。ハブ３２１の周辺のリブ３２２の長さは、好ましくは図１１Ａに示すように他の部位より長く形成される。したがって、ハブ３２１とリブ３２２の間の接合長さが長くなり、リブ３２２とハブ３２１とが堅固に連結される。
【００７３】
また、図１３Ａ〜１４Ｂに示すように、空気流動によるバルブ３１０の上昇を防止するために、バルブ３１０の下には板形部材３３０を設けることができる。板形部材３３０の一般的な特徴は上記第１及び第２実施形態で既説明されたので下記では省略する。
【００７４】
板形部材３３０はリブ３２２上に載せられる。このためにリブ３２２の開口部２１，２２や延長管２１ａ，２２ａの内周面の近くの部分は一定の長さを有する。板形部材３３０は、図１４Ａ及び図１４Ｂに示すように、リブ３２２上に載せることができるようにハブ３２１のための貫通孔３３０ｂとハブの周辺の長いリブ３２３のための多数のスロット３３０ａとを含む。
【００７５】
また、板形部材３３０は、その底面から延びている脚部３３１と、脚部３３１の先端に形成されるフック３３２とをさらに含む。
【００７６】
図１３Ａおよび図１４Ａに示すように、脚部３３１はリブ３３２と一定の間隔を有するように延長され、ハブ３２１の外周面上に支持され、板形部材３３０が揺れないようにする。
【００７７】
また、フック３３２はハブ３２１の下部先端にラッチされ、板形部材３３０をハブ３２１に固定させる。一方、脚部３３１は、図１３Ｂ及び図１４Ｂに示すように、リブ３２２と並列に延長され、板形部材３３０が揺れないようにリブ３２２によって支持される。また、フック３３２はリブ３２２の下部先端にラッチされ、板形部材３３０をリブ３２２に固定させる。
【００７８】
バルブ３１０は、軸部３１２の外周面に設けられる弾性部材３１３をさらに含む。弾性部材３１３は環状を有しており、浮遊体３１１の内面と接するように設けられている。したがって、バルブ３１０の下降時にハブ３２１の上端と浮遊体３１１の内面との間にくる。すなわち、弾性部材３１３は、バルブ３１０が衝撃及び騒音から防止するように弾性的に支持する。
【００７９】
また、好ましくは、弾性部材３１３の下端には突起３１３ａがさらに形成される。この突起３１３ａはハブ３２１の上端と接触した瞬間、容易に変形し、衝撃や騒音をより効果的に防止する。
【００８０】
また、軸部３１２の外周面上には弾性材質層３１２ａが形成されている。この弾性材質層３１２ａは、バルブ３１０の昇降時にハブ３２１と軸部３１２との間の衝撃を吸収して騒音を顕著に減少させる。
【００８１】
上述したバルブアセンブリ１００，２００，３００が泡を遮断するが、泡が過度に発生する場合、バルブアセンブリを通じて洗濯機の外部にまで漏出することもある。図１に示すように、洗濯機には管２１ｂ，２２ｂをハウジング１０に固定させ、必要な場合、管２１ｂ，２２ｂを外部管に連結するためにジョイントアセンブリ４００が設けられている。
【００８２】
ジョイントアセンブリ４００は洗濯機の境界、つまりハウジング１０に位置するので、泡はジョイントアセンブリ４００で最後に完全に遮断される。したがって、このようなジョイントアセンブリ４００が本発明の遮断手段としてさらに含まれる。以下により詳細に説明する。
【００８３】
図１５Ａ及び図１５Ｂは本発明のジョイントアセンブリを示す断面図及び正面図である。
【００８４】
本発明のジョイントアセンブリ４００は、基本的にハウジング１０に形成される貫通孔４１０、及び貫通孔４１０に挿入される延長管４２０からなる。延長管４２０は管２１ｂ，２２ｂに連結され、貫通孔４１０に挿入されることでこれらの管２１ｂ，２２ｂをハウジング１０に固定する。
【００８５】
延長管４２０は長く延長され、洗濯機外部の管と結合され、これによって管２１ｂ，２２ｂを外部管に連結することができる。このような延長管４２０内には、図示したように、垂直に延びる内部隔壁４２０ａが形成される。内部隔壁４２０ａは延長管４２０を部分的に閉鎖し、同様に延長管４２０に連結された管２１ｂ，２２ｂを部分的に閉鎖する結果をもたらす。したがって、いくら多量の泡が発生しても、バルブアセンブリ１００，２００，３００，４００から漏出する泡は少量であるので内部隔壁４２０ａによって漏出しない。
【００８６】
図１６Ａ及び図１６Ｃを参照すると、貫通孔４１０の周縁には延長管４２０を案内するリブ４１１が形成されている。延長管４１０の外周面にはフランジ４２１が形成され、延長管４１０を支持するようにハウジング１０の貫通孔４１０の周辺に接する。
【００８７】
また、貫通孔４１０はリブ４１２に形成される少なくとも一つ以上の切欠部４１２を含む。この切欠部４１２は貫通孔４１０の周辺のハウジング１０まで延びている。
【００８８】
延長管４２０の外周面には少なくとも一つ以上のフック４２２が形成される。フック４２２は互いに直交して連結される二つのリブからなり、実質的にアングル状を有する。より詳細には、フック４２２は延長管４２０の長さ方向に延長される第１部材４２２ａと、該第１部材４２２ａに垂直に延びる第２部材４２２ｂとからなる。フック４２２は延長管４２０が貫通孔４１０に結合されるときに切欠部４１２を介して挿入され、リブ４１１にラッチされる。
【００８９】
貫通孔４１０の周辺には多数の補助貫通孔４１３が形成され、フランジ４２１には補助貫通孔４１２に挿入される多数の突起４２１ａ，４２１ｂが形成されている。突起は円柱形突起４２１ａと、半球形突起４２１ｂとを含み、これらは互いに所定の間隔を維持しながら形成されている。また、所定の長さの切開溝４２１ｃがフランジ４２１の突起４２１ａ，４２１ｂの周辺に形成され、突起がフランジ４２１に弾性的に連結されるようにしている。
【００９０】
即ち、図示したように、切開溝４２１ｃによって突起４２１ａ，４２１ｂと、フランジ４２１とを連結する一種の脚部が形成される。この脚部は突起４２１ａ，４２１ｂが補助貫通孔４１３に容易に挿入されるように弾性的に変形する。
【００９１】
ジョイントアセンブリ４００をハウジング１０に締結する場合、図１６Ａ及び図１６Ｂに示すように、まず、延長管４２０はそのフック４２２を切欠部４１２に通して、貫通孔４１０に挿入される。延長管４２０の挿入時に突起４２１ａ，４２１ｂは補助貫通孔４１３に挿入されず、ハウジング２１０と接触しながら脚部の弾性変形によって後方に押される。
【００９２】
その後、図１６Ｃに示すように、延長管４２０を回転させると、フック４２２がリブ４１１と噛み合わさる。
【００９３】
より詳細には、フックの第１部材４２２ａはリブ４１１の側面部にラッチされ、延長管４２０の締結位置を決定する。そして、第２部材４２２ｂはリブ４１１の先端にラッチされ、延長管４２０の分離を防止する。
【００９４】
また、延長管４２０の回転中に押し上げられた突起４２１ａ，４２１ｂが延長管４２０の円滑な回転をたすける。そして、突起４２１ａ，４２１ｂが該当補助貫通孔４１３に到達すると、突起４２１ａ，４２１ｂは復元されつつ補助貫通孔４１３に挿入される。
【００９５】
図１７Ａに示すように、円柱形突起４２１ａは延長管４２０が任意に回転しないようにハウジング１０に堅固に固定する。
【００９６】
また、図１７Ｂに示すように、半球形突起４２１ｂはフランジ４２１をハウジング１０から離隔させ、作動中に洗濯機の振動がフランジ４２１に伝達されることを防止する。したがって、振動によって管２１ｂ，２２ｂが延長管４２０から分離されない。
【００９７】
このような締結構造によってジョイントアセンブリ４００は泡の漏出を防止するばかりでなく、締結部材なしでもハウジング１０に堅固に締結されている。
【００９８】
上述した本発明による洗濯機の作動を関連した図面に基づいて詳細に説明する。
【００９９】
まず、ドア１１を用いてドラム３０の内部に洗濯物を入れた後、ユーザはコントロールパネル１２を用いて洗濯を指示する。このような指示に従い、洗濯水は外部の給水源から給水管２１ｂ，洗剤槽２１ｃ、及び給水口２１を経てタブ２０内に洗剤と共に供給される。この際、各実施形態によるバルブアセンブリにおいて、バルブ１１０，２１０，３１０はリブ１２０，２２０，３２０の延長部１２１，２２１やハブ３２１上に置かれ、洗濯水と洗剤はバルブ１１０，２１０，３１０と、給水口２１／延長管２１ａの間を流れてタブ２０内に供給される。これと同様に、洗濯機のドラム３０内に乳児が入った場合にも、呼吸が可能なように通風管２１ｂに入った空気はバルブ１１０，２１０，３１０と、通風口２２／延長管２２ｂの間を介してタブ２０及びドラム３０内に供給されている。
【０１００】
タブ２０に貯蔵された洗濯水と洗剤は貫通孔３０ａを介してドラム３０の内部に流入し、洗濯物に吸水される。
【０１０１】
このような所定の時間の給水過程の後、駆動部４０によってドラム３０が回転しながら洗濯が始まる。ドラム３０の回転によって洗剤、洗濯水及び洗濯物は互いに混ぜられ、洗剤によって泡が発生する。
【０１０２】
このような洗濯過程中に泡は増加し続け、ドラム２０ばかりでなく、タブ２０内いっぱいに満たされる。泡は次いで開口部２１，２２を介して延長管２１ａ，２２ａ内に満ち、この泡によってバルブ１１０，２１０，３１０は上昇する。
【０１０３】
バルブアセンブリの第１及び第２実施形態１００，２００において、図２Ｂ及び図７Ｂに示すように、バルブ１１０，２１０は泡から浮力を受けながら上昇し、ガイド１２０，２２０によって案内され正確に管２１ｂ、２２ｂを閉鎖する。また、第３実施形態３００において、図１１Ｂに示すように、バルブの浮遊体３１１が浮力を受けて上昇し、軸部３１２はガイドのハブ３２１によって案内される。バルブの浮遊体３１１は上昇し続けて管２１ｂ，２２ｂを閉鎖する。
【０１０４】
したがって、泡は管２１ｂ，２２ｂに沿って外部に漏出しないように遮断される。そして、開口部２１，２２と延長管２１ａ，２２ａに泡が満たされている間、バルブ１１０，２１０，３１０は泡が漏出しないように管２１ｂ，２２ｂを持続的に閉鎖する。
【０１０５】
一方、泡が過度に発生する場合、バルブアセンブリ１００，２００，３００から管２１ｂ，２２ｂに流入することもありうる。しかし、このような泡は少量であるのでジョイントアセンブリ４００の内部隔壁４２０ａによって完全に遮断可能である。
【０１０６】
所定の時間が経過すると、泡は次第に消滅し、バルブの重さが泡からの浮力より大きくなるので、バルブ１１０，２１０，３１０は下降する。
【０１０７】
第１及び第２実施形態の場合、図２Ａ及び図７Ａに示すようにバルブ１１０，２１０は再びガイド１２０，２２０によって案内され下降し、ガイドの延長部１２１，２２１上に載る。また、第３実施形態の場合、図１１Ａに示すように軸部３１２が再びハブ３２１によって案内され、バルブの浮遊体３１１はハブ３２１の上端に載る。したがって、管２１ｂ，２２ｂは再び洗濯水や外部空気が円滑に流入できるように開放される。
【０１０８】
上述したように、バルブアセンブリ１００，２００，３００は結果的に泡がドラム２０及びタブ２０内に満たされる度に管２１ｂ，２２ｂを閉鎖し、泡が除去されると管を開放する。即ち、バルブアセンブリ１００，２００，３００は泡が漏出しないように管２１ｂ，２２を選択的に閉鎖する。そして、ジョイントアセンブリ４００はバルブアセンブリ１００，２００，３００を補助して泡が漏出しないように管２１ａ，２２ｂを最終的に閉鎖する役割を果たす。
【産業上の利用可能性】
【０１０９】
本発明による洗濯機は、泡発生時ごとにタブに連結された管を閉鎖するバルブアセンブリを有しており、外部に泡が露出しない。また、本発明の洗濯機に付加的に設置されたジョイントアセンブリは、バルブアセンブリに連係して泡の漏出を完全に防止する。したがって、本発明の洗濯機は漏出した泡によって汚れるおそれがない。
【０１１０】
また、上述したように洗濯機の形態（フロントローディング及びトップローディング）に従って泡量の互いに異なる洗剤が使用されてきたが、本発明は泡が外部に漏出しないように遮断されるので、泡量の多い洗剤を使っても洗濯が可能である。即ち、本発明の洗濯機は泡発生量に関らず洗剤を自由に使える。
【０１１１】
したがって、ユーザが洗濯機の形態に従って洗剤を選択する必要がなく、実際に使用上便利である。
【図面の簡単な説明】
【０１１２】
【図１】本発明による洗濯機の側断面図。
【図２Ａ】本発明のバルブアセンブリの第１実施形態を示す断面図。
【図２Ｂ】本発明のバルブアセンブリの第１実施形態を示す断面図。
【図２Ｃ】本発明のバルブアセンブリの第１実施形態を示す断面図。
【図３】第１実施形態によるバルブアセンブリの開口部を示す平面図。
【図４】図２Ａ〜図２Ｃに示す第１実施形態の変形例を示す断面図。
【図５】図４の変形例に装着される板形部材を示す斜視図。
【図６】図４の変形例によるバルブアセンブリの開口部を示す平面図（Ａ）と図６ＡのＩ−Ｉ線に沿った部分断面図（Ｂ）。
【図７】本発明のバルブアセンブリの第２実施形態を示す断面図。
【図８】第２実施形態によるバルブアセンブリの開口部を示す平面図。
【図９】図７Ａ及び図７Ｂに示す第２実施形態の変形例を示す断面図。
【図１０】図９の変形例によるバルブアセンブリの開口部を示す平面図。
【図１１Ａ】本発明のバルブアセンブリの第３実施形態を示す断面図。
【図１１Ｂ】本発明のバルブアセンブリの第３実施形態を示す断面図。
【図１２】第３実施形態によるバルブアセンブリの開口部を示す平面図。
【図１３Ａ】図１１Ａおよび図１１Ｂに示す第３実施形態の変形例を示す断面図。
【図１３Ｂ】図１１Ａおよび図１１Ｂに示す第３実施形態の変形例を示す断面図。
【図１４】図１３Ａ及び図１３Ｂの変形例によるバルブアセンブリの開口部を示す平面図。
【図１５】本発明のジョイントアセンブリを示す断面図及び正面図。
【図１６Ａ】本発明のジョイントアセンブリの組立過程を示す部分斜視図。
【図１６Ｂ】本発明のジョイントアセンブリの組立過程を示す部分斜視図。
【図１６Ｃ】本発明のジョイントアセンブリの組立過程を示す部分斜視図。
【図１７】図１６ＣのII−II線に沿った部分断面図（Ａ）とIII−III線に沿った部分断面図（Ｂ）。
【図１】
2005514132.tif 000003
【図２Ａ】
2005514132.tif 000004
【図２Ｂ】
2005514132.tif 000005
【図２Ｃ】
2005514132.tif 000006
【図３】
2005514132.tif 000007
【図４】
2005514132.tif 000008
【図５】
2005514132.tif 000009
【図６Ａ】
2005514132.tif 000010
【図６Ｂ】
2005514132.tif 000011
【図７Ａ】
2005514132.tif 000012
【図７Ｂ】
2005514132.tif 000013
【図８】
2005514132.tif 000014
【図９】
2005514132.tif 000015
【図１０】
2005514132.tif 000016
【図１１Ａ】
2005514132.tif 000017
【図１１Ｂ】
2005514132.tif 000018
【図１２】
2005514132.tif 000019
【図１３Ａ】
2005514132.tif 000020
【図１３Ｂ】
2005514132.tif 000021
【図１４Ａ】
2005514132.tif 000022
【図１４Ｂ】
2005514132.tif 000023
【図１５Ａ】
2005514132.tif 000024
【図１５Ｂ】
2005514132.tif 000025
【図１６Ａ】
2005514132.tif 000026
【図１６Ｂ】
2005514132.tif 000027
【図１６Ｃ】
2005514132.tif 000028
【図１７Ａ】
2005514132.tif 000029
【図１７Ｂ】
2005514132.tif 000030
【手続補正書】
【提出日】平成15年11月26日(2003.11.26)
【手続補正１】
【補正対象書類名】図面
【補正対象項目名】全図
【補正方法】変更
【補正の内容】
【図１】
2005514132.tif 000031
【図２Ａ】
2005514132.tif 000032
【図２Ｂ】
2005514132.tif 000033
【図２Ｃ】
2005514132.tif 000034
【図３】
2005514132.tif 000035
【図４】
2005514132.tif 000036
【図５】
2005514132.tif 000037
【図６】
2005514132.tif 000038
【図７】
2005514132.tif 000039
【図８】
2005514132.tif 000040
【図９】
2005514132.tif 000041
【図１０】
2005514132.tif 000042
【図１１Ａ】
2005514132.tif 000043
【図１１Ｂ】
2005514132.tif 000044
【図１２】
2005514132.tif 000045
【図１３Ａ】
2005514132.tif 000046
【図１３Ｂ】
2005514132.tif 000047
【図１４】
2005514132.tif 000048
【図１５】
2005514132.tif 000049
【図１６Ａ】
2005514132.tif 000050
【図１６Ｂ】
2005514132.tif 000051
【図１６Ｃ】
2005514132.tif 000052
【図１７】
2005514132.tif 000053
【国際調査報告】
2005514132.tif 000054
2005514132.tif 000055